(57)【要約】      （修正有）【課題】アクチュエータの金属製フレームヨークの帯電を防止し、光ピックアップ装置の動作を良好にする。【解決手段】金属製のフレームヨーク３５１、３５２を有し、対物レンズを保持するレンズホルダを光ディスクのフォーカス方向又はトラッキング方向に変位させるアクチュエータと、前記アクチュエータが載置される樹脂製のハウジングと、前記アクチュエータが載置されている前記ハウジングを覆った際に前記フレームヨーク３５１、３５２に接触する突部８７１、８７２を有する接地されている金属製のカバー８とを備える。【選択図】図１３
2014032717.tif 000002
【特許請求の範囲】
【請求項１】
金属製のフレームヨークを有し、対物レンズを保持するレンズホルダを光ディスクのフォーカス方向又はトラッキング方向に変位させるアクチュエータと、
前記アクチュエータが載置される樹脂製のハウジングと、
前記アクチュエータが載置されている前記ハウジングを覆った際に前記フレームヨークに接触する突部を有し、接地されている金属製のカバーと、
を備えたことを特徴とする光ピックアップ装置。
【請求項２】
前記カバーと前記ハウジングとの間に挟持される回路基板、を更に備え、
前記カバーは、前記回路基板の接地パターンと接続されて接地される
ことを特徴とする請求項１に記載の光ピックアップ装置。
【請求項３】
前記カバーは、金属製の螺子が螺合する第１螺子孔を有し、
前記回路基板は、前記螺子が前記第１螺子孔とともに螺合するとともに、前記螺子が前記接地パターンと電気的に接続されるように穿設される第２螺子孔を有し、
前記ハウジングは、前記螺子が前記第１及び第２螺子孔とともに螺合する第３螺子孔を有する
ことを特徴とする請求項２に記載の光ピックアップ装置。
【請求項４】
前記突部は、前記カバーにおける前記フレームヨークと対向する箇所を切り抜き加工して形成される突片である
ことを特徴とする請求項１乃至３の何れかに記載の光ピックアップ装置。
【請求項５】
前記突片は、複数設けられる
ことを特徴とする請求項４に記載の光ピックアップ装置。
【発明の詳細な説明】
【技術分野】
【０００１】
本発明は、光ピックアップ装置に関する。
【背景技術】
【０００２】
例えば、対物レンズを保持するレンズホルダを変位させるためのアクチュエータを含んで構成される光ピックアップ装置が知られている（特許文献１）。
【先行技術文献】
【特許文献】
【０００３】
【特許文献１】特開２００９−３７６７１号公報
【発明の概要】
【発明が解決しようとする課題】
【０００４】
例えば、特許文献１の光ピックアップ装置において、アクチュエータのフレームとして金属製のフレームヨークが用いられることがある。当該フレームヨークが帯電した場合、
光ピックアップ装置を制御する制御装置の誤動作に起因して、光ピックアップ装置の誤動作が引き起こされる虞がある。
【課題を解決するための手段】
【０００５】
前述した課題を解決する主たる本発明は、金属製のフレームヨークを有し、対物レンズを保持するレンズホルダを光ディスクのフォーカス方向又はトラッキング方向に変位させるアクチュエータと、前記アクチュエータが載置される樹脂製のハウジングと、前記アクチュエータが載置されている前記ハウジングを覆った際に前記フレームヨークに接触する突部を有し、接地されている金属製のカバーと、を備えたことを特徴とする光ピックアップ装置である。
【０００６】
本発明の他の特徴については、添付図面及び本明細書の記載により明らかとなる。
【発明の効果】
【０００７】
本発明によれば、光ピックアップ装置の動作を良好にすることができる。
【図面の簡単な説明】
【０００８】
【図１】本発明の実施形態に係る光ピックアップ装置の光学系の構成を示す図である。
【図２】本発明の実施形態に係る光ピックアップ装置の光学系の一部の構成を示す図である。
【図３】本発明の実施形態に係る光ピックアップ装置を示す斜視図である。
【図４】本発明の実施形態に係る光ピックアップ装置を示す分解斜視図である。
【図５】本発明の実施形態におけるハウジングを示す斜視図である。
【図６】本発明の実施形態における、光学素子及び第１及び第２放熱板が固定された状態のハウジングを示す斜視図である。
【図７】本発明の実施形態におけるレーザ光源を示す斜視図である。
【図８】本発明の実施形態における、回路基板が固定された状態のハウジングを示す斜視図である。
【図９】本発明の実施形態における、光ディスク側から見た状態の回路基板とＦＰＣとを示す図である。
【図１０】本発明の実施形態における、光ディスク側とは反対側から見た状態の回路基板とＦＰＣとを示す図である。
【図１１】本発明の実施形態におけるレンズホルダとアクチュエータとを示す斜視図である。
【図１２】本発明の実施形態におけるカバーを示す斜視図である。
【図１３】本発明の実施形態におけるカバーとフレームヨークの一部とを示す断面図である。
【図１４】本発明の実施形態における、光ディスクと対向する側とは反対側から見た状態の、光学素子が固定されたハウジングを示す斜視図である。
【図１５】本発明の実施形態における、第１及び第２放熱板と回路基板とを示す斜視図である。
【図１６】本発明の実施形態における、ケーブルが取り付けられた状態の光ピックアップ装置を示す斜視図である。
【発明を実施するための形態】
【０００９】
本明細書および添付図面の記載により、少なくとも以下の事項が明らかとなる。
【００１０】
＝＝＝光ピックアップ装置の光学系＝＝＝
以下、図１、図２を参照して、本実施形態における光ピックアップ装置の光学系について説明する。図１は、本実施形態に係る光ピックアップ装置の光学系の構成を示す図である。図２は、本実施形態に係る光ピックアップ装置の光学系の一部の構成を示す図である。
【００１１】
光ピックアップ装置１００は、回転する光ディスク５（図３）にレーザ光を照射し、光ディスク５で反射されるレーザ光の反射光を検出する装置である。光ピックアップ装置１００によって情報の記録又は再生が行われる光ディスク５は、ＤＶＤ（Ｄｉｇｉｔａｌ  Ｖｅｒｓａｔｉｌｅ  Ｄｉｓｃ）規格の光ディスク（以下、「第１光ディスク５Ａ」と称する）、ＣＤ（Ｃｏｍｐａｃｔ  Ｄｉｓｃ）規格の光ディスク（以下、「第２光ディスク５Ｂ」と称する）等である。光ピックアップ装置１００は、第１光ディスク５Ａ、第２光ディスク５Ｂに照射されるレーザ光の光路に沿った光学系を有する。
【００１２】
光ピックアップ装置１００の光学系は、ＤＶＤ規格及びＣＤ規格用の光学系であり、レーザ光源１１、回折格子１２、光検出器１３、非点収差発生板１４、ビームスプリッタ１５、１／４波長板１６、コリメータレンズ１７、立ち上げミラー１８、フロントモニタダイオード１９、対物レンズ６１１（図２）（以下、「光ピックアップ装置１００の光学素子」とも称する）から構成される。
【００１３】
レーザ光源１１は、第１光ディスク５Ａに照射する赤色波長帯（６４５ｎｍ〜６７５ｎｍ）のうち例えば６５５ｎｍの波長と、第２光ディスク５Ｂに照射する赤外波長帯（７６５ｎｍ〜８０５ｎｍ）のうち例えば７８５ｎｍの波長の、異なる２波長のレーザ光を選択的に出射する。レーザ光源１１は、例えば６５５ｎｍの波長のレーザ光を出射する第１レーザダイオード１１１と、例えば７８５ｎｍの波長のレーザ光を出射する第２レーザダイオード１１２とを有する。
【００１４】
回折格子１２は、レーザ光源１１が出射したレーザ光から、０次光、＋１次回折光、−１次回折光を生成する。また、回折格子１２は、偏光方向を９０度変換する１／２波長板機能も有する
ビームスプリッタ１５は、例えば、Ｓ偏光のレーザ光を反射し、Ｐ偏光のレーザ光を透過する平板型のビームスプリッタである。ビームスプリッタ１５は、回折格子１２から入射するＳ偏光のレーザ光を１／４波長板１６の方向へ反射する。このとき、ビームスプリッタ１５は、レーザ光の強度を調整するために、レーザ光の一部をフロントモニタダイオード１９の方向に透過するものとする。尚、フロントモニタダイオード１９は、ビームスプリッタ１５から入射された一部のレーザ光の強度に基づいて、レーザ光の強度を調整するための光学部品である。又、１／４波長板１６から入射するレーザ光の反射光は、例えば、第１光ディスク５Ａ又は第２光ディスク５Ｂで反射してＰ偏光のレーザ光となっている。よって、ビームスプリッタ１５は、レーザ光の反射光を非点収差発生板１４の方向へ透過する。
【００１５】
１／４波長板１６は、ビームスプリッタ１５から入射するレーザ光を、直線偏光光から円偏光光に変換する。又、１／４波長板１６は、コリメートレンズ１７から入射するレーザ光の反射光を、円偏光光から直線偏光光に変換する。  
コリメートレンズ１７は、１／４波長板１６から入射するレーザ光を平行光に変換する。
【００１６】
立ち上げミラー１８は、コリメートレンズ１７から入射するレーザ光を、第１光ディスク５Ａ又は第２光ディスク５Ｂの信号記録面に垂直な方向に反射する。又、立ち上げミラー１８は、対物レンズ６１１から入射するレーザ光の反射光を、コリメートレンズ１７の方向に反射する。
【００１７】
対物レンズ６１１は、立ち上げミラー１８から入射したレーザ光を、第１光ディスク５Ａ又は第２光ディスク５Ｂの信号記録面における信号記録層に集光する。
【００１８】
第１光ディスク５Ａ又は第２光ディスク５Ｂの信号記録層で反射したレーザ光の反射光は、対物レンズ６１１によって平行光に変換された後、立ち上げミラー１８、コリメートレンズ１７を介して１／４波長板１６に入射し、１／４波長板１６によって円偏光光から直線偏光光に変換される。直線偏光光となったレーザ光の反射光は、ビームスプリッタ１５を介して非点収差発生板１４に入射する。
【００１９】
非点収差発生板１４は、ビームスプリッタ１５から入射されるレーザ光の反射光に非点収差を発生させてフォーカスエラー信号を生成する。尚、フォーカスエラー信号とは、例えば、レンズホルダ３００（図４）を対物レンズ６１１の光軸方向（図４のＺ軸）に変位させる際に用いられる信号である。  
光検出器１３は、非点収差発生板１４から入射されるレーザ光の反射光を光電変換する。
【００２０】
＝＝＝光ピックアップ装置＝＝＝
以下、図３、図４を参照して、本実施形態に係る光ピックアップ装置について説明する。図３は、本実施形態に係る光ピックアップ装置を示す斜視図である。尚、光ディスク５を回転させるためのスピンドルモータ（不図示）の回転軸５０は、説明の便宜上、一点鎖線で示されている。光ディスク５は、一部が省略された状態で、点線で示されている。図４は、本実施形態に係る光ピックアップ装置を示す分解斜視図である。
【００２１】
本実施形態において、Ｚ軸は、光ディスク５を回転させるスピンドルモータの回転軸５０の長手方向（フォーカス方向、垂直方向）に沿う軸であり、光ピックアップ装置１００から光ディスク５（上側）へ向かう方向を＋Ｚ方向とし、光ディスク５から光ピックアップ装置１００（下側）へ向かう方向を−Ｚ方向とする。尚、第１光ディスク５Ａ、第２光ディスク５Ｂのうち、スピンドルモータによって回転される光ディスクを、説明の便宜上、光ディスク５と称する。Ｘ軸は、光ディスク５の径方向（トラッキング方向、ラジアル方向）に光ピックアップ装置１００が移動する方向に沿う軸であり、光ピックアップ装置１００が回転軸５０から離れる方向を＋Ｘ方向とし、光ピックアップ装置１００が回転軸５０に近づく方向を−Ｘ方向とする。Ｙ軸は、光ディスク５のタンジェンシャル方向に沿う軸であり、ハウジング２における一方の側面２１から他方の側面２２に向かう方向を＋Ｙ方向とし、ハウジング２における他方の側面２２から一方の側面２１に向かう方向を−Ｙ方向とする。
【００２２】
光ピックアップ装置１００（図４）は、ハウジング２、光ピックアップ装置１００の光学素子、アクチュエータ３、第１放熱板４１、第２放熱板４２、回路基板６、フレキシブルプリント基板（Ｆｌｅｘｉｂｌｅ  Ｐｒｉｎｔｅｄ  ｃｉｒｃｕｉｔ:ＦＰＣ）７、７００、カバー８を有する。
【００２３】
アクチュエータ３は、レンズホルダ３００を光ディスク５のフォーカス方向又はトラッキング方向に変位させる装置である。回路基板６、ＦＰＣ７、７００は、光ピックアップ装置１００を制御するための基板である。第１放熱板４１は、レーザ光源１１で発生する熱を放散するための金属製の板である。第２放熱板４２は、ドライバＩＣ６１（図１０）で発生する熱を放散するための金属製の板である。カバー８は、ハウジング２を覆う金属製の蓋である。ハウジング２には、光ピックアップ装置１００の光学素子、及び、アクチュエータ３が載置される。
【００２４】
＝＝＝ハウジング＝＝＝
以下、図４、図５を参照して、本実施形態におけるハウジングについて説明する。図５は、本実施形態におけるハウジングを示す斜視図である。尚、光ディスク５を回転させるためのスピンドルモータの回転軸５０は、説明の便宜上、一点鎖線で示されている。
【００２５】
ハウジング２は、光ピックアップ装置１００の光学素子、アクチュエータ３が載置される例えば樹脂製のハウジングである。更に、ハウジング２には、第１放熱板４１、第２放熱板４２、回路基板６、ＦＰＣ７、７００、カバー８が取り付けられる。
【００２６】
ハウジング２は、タンジェンシャル方向（Ｙ軸方向）に延びた形状を呈する。トラッキング方向における回転軸５０に近い側（−Ｘ）の端部２３は、例えば、スピンドルモータ（不図示）を回避するように所定の曲率をもって抉られた形状を呈する。トラッキング方向において回転軸５０から遠い側（＋Ｘ）の端部２４のタンジェンシャル方向の幅は、例えば、光ピックアップ装置１００を制御する制御装置（不図示）の筺体の形状に沿う様に、回転軸５０から離れるにつれて短くなっている。
【００２７】
ハウジング２は、窪み２３１乃至２３３、複数の突起２５１乃至２５３爪２６１乃至２６４、孔２６５、溝２５５乃至２５８、軸受２１０、２２０、２２１、雌ネジ２５（第３螺子孔）を有する。
【００２８】
窪み２３３内には、アクチュエータ３が載置される。窪み２３３は、トラッキング方向における回転軸５０から近い側（−Ｘ）、且つ、タンジェンシャル方向における側面２２側（＋Ｙ）に設けられる。
【００２９】
窪み２３２内には、第２放熱板４２が載置される。窪み２３２は、トラッキング方向において窪み２３３よりも回転軸５０から遠い側（＋Ｘ）に設けられる。窪み２３２は、タンジェンシャル方向に沿って延びた形状を呈する。タンジェンシャル方向における窪み２３２の一方側（−Ｙ）の深さは、窪み２３２の他方側（＋Ｙ）の深さよりも深くなっている。よって、窪み２３３は、窪み２３３の底が第２放熱板４２の下側（−Ｚ）の面に沿うような形状を呈することとなる。
【００３０】
窪み２３１内には、レーザ光源１１が載置される。尚、レーザ光源１１については、後述する。窪み２３１は、トラッキング方向において窪み２３３よりも回転軸５０から遠い側、且つ、タンジェンシャル方向において窪み２３２よりも−Ｙ側に設けられる。窪み２３１内の＋Ｘ側の底には、孔２５Ａが設けられる。孔２５Ａは、窪み２３１の底に載置されたレーザ光源１１の端子１１１乃至１１３を、光ディスク５と対向する側とは反対側（−Ｚ）に露出させるように形成される。
【００３１】
複数の突起２５１乃至２５３は、ハウジング２に対する回路基板６の位置決めを行うのに用いられる。突起２５３は、ハウジング２に対する第２放熱板４２の位置決めを行うのに用いられる。突起２５３は、ハウジング２に対して第２放熱板４２が固定されるときに、第２放熱板４２の孔４２１（図４）と対向する位置に設けられる。突起２５１乃至突起２５３は夫々、ハウジング２に対して回路基板６が固定されるときに、回路基板６の孔６５１乃至６５３（図１０）と対向する位置に設けられる。
【００３２】
溝２５５乃至２５８には、ハウジング２に対してレーザ光源１１が固定されるときに接着剤が塗布される。尚、ハウジング２に対するレーザ光源１１の固定については、後述する。溝２５５乃至２５８は、窪み２３１の底にレーザ光源１１が載置されたときに、レーザ光源１１の金属板１１４（図７）の四隅と対向する位置に形成される。
【００３３】
爪２６２は、ハウジング２に対して第１放熱板４１を固定するための部材である。爪２６２は、ハウジング２に対して第１放熱板４１が固定されるときに、第１放熱板４１の孔４１１と対向する位置に設けられる。爪２６２は、孔４１１に挿通されて第１放熱板４１と係合するような形状を呈する。
【００３４】
爪２６３、２６４は、ハウジング２に対して回路基板６を固定するための一対の部材である。爪２６３は、ハウジング２に対して回路基板６が固定されるときに、回路基板６の一方の端部（−Ｙ）と対向する壁体２１５に設けられる。爪２６４は、ハウジング２に対して回路基板６が固定されるときに、回路基板６の他方の端部（＋Ｙ）と対向する壁体２２５に設けられる。爪２６３は、壁体２１５の内側（＋Ｙ）の面と、爪２６３の＋Ｙ側の面との間のタンジェンシャル方向の距離が、上側（＋Ｚ）から下側（−Ｚ）に向かうにつれて長くなるような形状を呈する。つまり、爪２６３は、爪２６３の＋Ｙ側の面が＋Ｙ側且つ下側に向かって傾斜するような形状を呈する。爪２６４は、壁体２２５の内側（−Ｙ）の面と、爪２６４の−Ｙ側の面との間のタンジェンシャル方向の距離が、上側から下側に向かうにつれて長くなるような形状を呈する。つまり、爪２６４は、爪２６４の−Ｙ側の面が−Ｙ側且つ下側に向かって傾斜するような形状を呈する。例えば、ハウジング２に対して回路基板６が取り付けられるとき、回路基板６の一方側及び他方側の端部は夫々、爪２６３の＋Ｙ側の面、爪２６４の−Ｙ側の面に沿って、爪２６３、２６４の上側から爪２６３、２６４の下側に移動されることとなる。爪２６３、２６４は夫々、回路基板６の一方側及び他方側の端部が夫々爪２６３、２６４の下側に配置されたときに、回路基板６がフォーカス（Ｚ軸）方向においてハウジング２の底板における上面と爪２６３、２６４との間に挟まれるような位置に設けられているものとする。このとき、回路基板６のフォーカス方向の移動が規制されて、ハウジング２に対して固定されることとなる。
【００３５】
爪２６１、孔２６５はハウジング２に対してカバー８を固定するのに用いられる。爪２６１、孔２６５は夫々、ハウジング２に対してカバー８が固定されるときに、カバー８（図１３）の取付片８１、取付片８２と対向する位置に設けられる。爪２６１は、取付片８１の孔８１Ａに挿通されて取付片８１と係合するような形状を呈する。孔２６５の内部には、孔２６５内に挿入された取付片８２と係合するような係合部が形成される。更に、ハウジング２における、回転軸５０に近い側（−Ｘ）の端部２３には、爪２６１と同様な爪（以下、「端部２３の爪」と称する）が設けられる。端部２３の爪は、ハウジング２に対してカバー８が固定されるときに、カバー８の取付片８３と対向する位置に設けられる。端部２３の爪は、取付片８３の孔８３Ａに挿通されて取付片８３と係合するような形状を呈する。
【００３６】
雌ネジ２５には、ハウジング２に対してカバー８を固定するための金属製の雄ネジ１０１（螺子）（図４）が螺合される。雌ネジ２５は、ハウジング２に対してカバー８が固定されるときに、カバー８の取付片８４の孔８４Ａ（第１螺子孔）と対向する位置に設けられる。
【００３７】
軸受２１０、２２０、２２１は、光ピックアップ装置１００をラジアル方向（Ｘ軸）に移動させるための一対のシャフト（不図示）を支持するための部材である。軸受２１０は、一方の側面２１に設けられる。軸受２１０には、シャフトを支持するためのＵ溝２１Ａが形成される。軸受２２０、２２１は、他方の側面２２に設けられる。軸受２２０、２２１には夫々、シャフトを支持するための孔２２Ａ、２２Ｂが形成される。
【００３８】
＝＝＝第１放熱板、第２放熱板＝＝＝
以下、図４、図６を参照して、本実施形態における第１放熱板、第２放熱板について説明する。図６は、本実施形態における、光学素子及び第１及び第２放熱板が固定された状態のハウジングを示す斜視図である。尚、光ディスク５を回転させるためのスピンドルモータの回転軸５０は、説明の便宜上、一点鎖線で示されている。
【００３９】
第１放熱板４１は、レーザ光源１１で発生する熱を放散するための金属板である。第１放熱板４１は、ハウジング２に対して第１放熱板４１が固定されたときに、窪み２３１（図５）を避けるように抉られた形状を呈する。第１放熱板４１（図４）の手前側（＋Ｘ）の端部４１２は、ハウジング２に対して第１放熱板４１が固定されたときにハウジング２の手前側（＋Ｘ）の縁に沿って下側（−Ｚ）に向かって折り曲げられた形状を呈する。端部４１２におけるハウジング２の爪２６２と対向する位置には、爪２６２が挿通される孔４１１が設けられる。孔４１１に対して爪２６２が挿通されて、爪２６２と第１放熱板４１とが係合することによって、ハウジング２に対して第１放熱板４１が固定されることとなる。
【００４０】
第２放熱板４２は、ドライバＩＣ６１で発生する熱を放散するための金属板である。第２放熱板４２は、ハウジング２の窪み２３２内に配設されるように、タンジェンシャル方向（Ｙ軸）に沿って延びた形状を呈する。第２放熱板４２は、窪み２３２内に配設されたときに、第２放熱板４２が窪み２３２の底に沿うに折り曲げられた形状を呈する。
【００４１】
第２放熱板４２には、孔４２１、４２２が設けられる。孔４２１、４２２は夫々、第２放熱板４２が窪み２３２内に配設されたときに、突起２５３、雌ネジ２５と対向する位置に設けられる。孔４２１に対して突起２５３が挿通されるように、第２放熱板４２を窪み２３２内に配設することによって、ハウジング２に対する第２放熱板４２の位置決めが行われることとなる。更に、孔４２２を介して雌ネジ２５に対して雄ネジ１０１が螺合されることによって、ハウジング２に対して第２放熱板４２が固定されることとなる。
【００４２】
＝＝＝レーザ光源＝＝＝
以下、図７を参照して、本実施形態におけるレーザ光源について説明する。図７は、本実施形態におけるレーザ光源を示す斜視図である。
【００４３】
レーザ光源１１は、端子１１１乃至１１３、金属板１１４、壁体１１５、支持部材１１６、収容体１１７を有する。
【００４４】
収容体１１７には、第１レーザダイオード１１１と第２レーザダイオード１１２とがレーザ光を−Ｘ方向に向かって出射できるように、収容される。収容体１１７は、取付部材（不図示）を介して、金属板１１４の一方（−Ｚ）の面に固定される。
【００４５】
金属板１１４には、収容体１１７が搭載される平板である。金属板１１４は、第１レーザダイオード１１１及び第２レーザダイオード１１２で発生する熱を放散するための放熱板としても機能する。
【００４６】
壁体１１５は、収容体１１７を保護するための絶縁性のフレームである。壁体１１５は、金属板１１４における収容体１１７が取り付けられている一方の面に設けられる。壁体１１５は、収容体１１７の周囲におけるレーザ光を出射される方向（−Ｘ）の一部を除いて、収容体１１７の周囲を取り囲むように設けられる。
【００４７】
支持部材１１６は、壁体１１５が金属板１１４に固定されるように壁体１１５を支持する絶縁性の部材である。支持部材１１６は、壁体１１５の＋Ｘ側の端部から、金属板１１４の他方（＋Ｚ）の面まで連続的に形成される。支持部材１１６は、壁体１１５と一体的に形成される。レーザ光源１１の上側の一部は、支持部材１１６の厚み分だけ隆起することとなる。尚、支持部材１１６及び壁体１１５と、金属板１１４とは、例えば接着剤等を用いて固定される。
【００４８】
端子１１１乃至１１３は、支持部材１１６のレーザ光が出射される方向とは反対側（＋Ｘ）から、＋Ｘ方向に向かって突出している。端子１１１、１１３には夫々、例えば、第１レーザダイオード１１１のアノード、第２レーザダイオード１１２のアノードが接続されている。端子１１２には、例えば、第１レーザダイオード１１１のカソード、第２レーザダイオード１１２のカソードが共通に接続されている。
【００４９】
＝＝＝回路基板、ＦＰＣ＝＝＝
以下、図８乃至図１０を参照して、本実施形態における回路基板、ＦＰＣについて説明する。図８は、本実施形態における、回路基板が固定された状態のハウジングを示す斜視図である。尚、光ディスク５を回転させるためのスピンドルモータの回転軸５０は、説明の便宜上、一点鎖線で示されている。図９は、本実施形態における、光ディスク側から見た状態の回路基板とＦＰＣとを示す図である。図１０は、本実施形態における、光ディスク側とは反対側から見た状態の回路基板とＦＰＣとを示す図である。
【００５０】
回路基板６は、光ピックアップ装置１００を制御するための、例えばリジッド基板である。回路基板６は、ハウジング２に対してハウジング２の上側（＋Ｚ）から取り付けられる。回路基板６は、ハウジング２に設けられた窪み２３１、２３２を覆うように、タンジェンシャル方向（Ｙ軸）において延びた形状を呈する。ハウジング２の壁体２１５、２２５（図５）の間に回路基板６が配設されるように、タンジェンシャル方向における回路基板６の長さは、タンジェンシャル方向における壁体２１５と壁体２２５との間の距離よりも短く設定されている。
【００５１】
回路基板６には、コネクタ６６、孔６５１乃至６５３、６５５、孔６５（第２螺子孔）、端子６２１乃至６２３、ドライバＩＣ６１が設けられる。
【００５２】
孔６５１乃至６５３（図１０）は、ハウジング２に対する回路基板６の位置決めを行うのに用いられる。孔６５１乃至６５３は夫々、ハウジング２に対して回路基板６が固定されるときに、ハウジング２の突起２５１乃至２５３と対向する位置に設けられる。
【００５３】
孔６５は、ハウジング２に対して回路基板６が固定されるときに、雌ネジ２５と対向する位置に設けられる螺子孔である。ここで、回路基板６は、例えば、接地パターンを有している多層基板であるものとする。又、孔６５の内部には回路基板６の接地パターンに接続される端子が設けられているものとする。孔６５に対して例えば金属製の雄ネジ１０１が螺合されたとき、雄ネジ１０１と当該端子とが電気的に接続されて、雄ネジ１０１が接地されることとする。つまり、孔６５は、雄ネジ１０１が螺合されるとともに、雄ネジ１０１が回路基板６の接地パターンと電気的に接続されるように回路基板６に穿設されていることとなる。尚、回路基板６の接地パターンは、例えば、コネクタ６６の接地端子（不図示）と電気的に接続されており、フレキシブルケーブル１０２（図１６）を介して接地されているものとする。
【００５４】
孔６５５は、ハウジング２に対して回路基板６が固定されるときに、レーザ光源１１の支持部材１１６と回路基板６とが干渉するのを防止するために設けられる。孔６５５は、ハウジング２の窪み２３１の一部と対向する位置に設けられる。孔６５５は、ハウジング２に対して固定されたレーザ光源１１の支持部材１１６と対向する位置に設けられる。孔６５５の大きさは、孔６５５内に支持部材１１６が配設されるような大きさに設定される。
【００５５】
端子６２１乃至６２３は、レーザ光源１１からレーザ光を出射するための駆動電流を出力する端子である。尚、当該駆動電流は、ドライバＩＣ６１によって制御されるものとする。端子６２１乃至６２３は夫々、レーザ光源１１の端子１１１乃至１１３と電気的に接続される。端子６２１乃至６２３は、回路基板６におけるハウジング２と対向する側（−Ｚ）の面に設けられる。端子６２１乃至６２３は夫々、ハウジング２に固定されたレーザ光源１１の端子６２１乃至６２３と対向する位置に設けられる。
【００５６】
ドライバＩＣ６１は、レーザ光源１１を制御するための集積回路である。ドライバＩＣ６１は、レーザ光を出射するための駆動電流を制御する。ドライバＩＣ６１は、回路基板６におけるハウジング２と対向する側の面に設けられる。ドライバＩＣ６１は、回路基板６がハウジング２に固定されたときに、ハウジング２の窪み２３２内で第２放熱板４２と接触されて配置される。更に、ドライバＩＣ６１は、コネクタ６６を介して光ピックアップ装置１００の制御装置と電気的に接続されるように、回路基板６の配線に対して、例えば半田等で電気的に接続される。尚、当該回路基板６の配線は、コネクタ６６を介して光ピックアップ装置１００の制御装置と電気的に接続されるように、コネクタ６６の端子と電気的に接続されているものとする。
【００５７】
コネクタ６６は、光ピックアップ装置１００と光ピックアップ装置１００を制御する制御装置（不図示）（以下、「光ピックアップ装置１００の制御装置」とも称する）とを電気的に接続するのに用いられる。コネクタ６６は、トラッキング方向（Ｘ軸）において回転軸５０から遠い側（＋Ｘ）の端部６Ａの上側（＋Ｚ）側の面に設けられる。尚、コネクタ６６については、後述する。
【００５８】
ＦＰＣ７（図４）には、フロントモニタダイオード１９、光検出器１３が接着剤等で固定される。フロントモニタダイオード１９、光検出器１３と光ピックアップ装置１００の制御装置とが電気的に接続されるように、フロントモニタダイオード１９、光検出器１３は、ＦＰＣ７の配線に対して例えば半田等を用いて電気的に接続される。ＦＰＣ７は、回路基板６の一方側（−Ｙ）の端部に、例えば接着剤等で固定される。更に、フロントモニタダイオード１９、光検出器１３がコネクタ６６を介して光ピックアップ装置１００の制御装置と電気的に接続されるように、ＦＰＣ７の配線は、回路基板６の配線に対して、例えば半田等で電気的に接続される。尚、当該回路基板６の配線は、コネクタ６６を介して光ピックアップ装置１００の制御装置と電気的に接続されるように、コネクタ６６の端子と電気的に接続されているものとする。
【００５９】
ＦＰＣ７００には、アクチュエータ３における制御基板３１の制御回路（不図示）（以下、「アクチュエータ３の回路」とも称する）が電気的に接続される。尚、アクチュエータ３の回路は、アクチュエータ３の動作を制御するときに用いられる電気回路であるものとする。アクチュエータ３の回路と光ピックアップ装置１００の制御装置とが電気的に接続されるように、制御基板３１の端子には、ＦＰＣ７００の配線が例えば半田等を用いて電気的に接続される。ＦＰＣ７００は、回路基板６の他方側（＋Ｙ）の端部に、例えば接着剤等で固定される。更に、アクチュエータ３の回路がコネクタ６６を介して光ピックアップ装置１００の制御装置と電気的に接続されるように、ＦＰＣ７００の配線は、回路基板６の配線に対して、例えば半田等で電気的に接続される。尚、当該回路基板６の配線は、コネクタ６６を介して光ピックアップ装置１００の制御装置と電気的に接続されるように、コネクタ６６の端子と電気的に接続されているものとする。
【００６０】
＝＝＝レンズホルダ、アクチュエータ＝＝＝
以下、図１１を参照して、本実施形態におけるレンズホルダ、アクチュエータについて説明する。図１１は、本実施形態におけるレンズホルダとアクチュエータとを示す斜視図である。図１１における、レンズホルダ３００の奥側（−Ｘ）には、サスペンションワイヤ３３Ａと同様な機能を有するサスペンションワイヤ（以下、「サスペンションワイヤ３３Ｃ」と称する）が、サスペンションワイヤ３３Ａ、３３Ｂと共に、更に１本設けられている。尚、サスペンションワイヤ３３Ａ、３３Ｂ、３３Ｃについては、後述する。
【００６１】
レンズホルダ３００は、対物レンズ６１１を保持する。レンズホルダ３００は、例えば、トラッキング方向（Ｘ軸）におけるレンズホルダ３００の中心を通るＹＺ平面を基準に対称な形状を呈する。レンズホルダ３００は、トラッキング方向において延びた形状を呈する。レンズホルダ３００の光ディスク５と対向する保持面３０３には、対物レンズ６１１が光ディスク５の信号記録面と対向するように取り付けられる。
【００６２】
アクチュエータ３は、レンズホルダ３００をフォーカス方向（Ｚ軸）及びトラッキング方向（Ｘ軸）に変位させる装置である。アクチュエータ３は、第１トラッキングコイル３９１、３９２、第２トラッキングスコイル３９３、３９４、フォーカスコイル（不図示）、サスペンションワイヤ３３Ａ、３３Ｂ、３３Ｃ（不図示）、３４Ａ、３４Ｂ、３４Ｃ、マグネット３８１乃至３８４、フレームヨーク３５、支持体３２、制御基板３１を有する。
【００６３】
第１トラッキングコイル３９１、３９２、第２トラッキングコイル３９３、３９４は、レンズホルダ３００をトラッキング方向に変位させる電磁力を発生するためのコイルである。第１トラッキングコイル３９１、３９２、第２トラッキングコイル３９３、３９４は、例えば、レンズホルダ３００をトラッキング方向に変位させるためのトラッキング信号が供給される一本の導電線を、レンズホルダ３００の４つの各ボビン部にタンジェンシャル方向（Ｙ軸）を軸に順次巻回して形成された一対のコイルである。
【００６４】
ここで、レンズホルダ３００をフォーカス方向に変位させる電磁力を発生させるための、例えば、２個のフォーカスコイル（不図示）がレンズホルダ３００に対して取り付けられているものとする。２個のフォーカスコイルは夫々、例えば、レンズホルダ３００をフォーカス方向に変位させるためのフォーカス信号が供給される導電線を、夫々独立してフォーカス方向に沿ったヨーク３０１、３０２に接触しない間隙を持たせ巻回したコイルであるものとする。このような構成により各フォーカスコイルに供給するフォーカス信号にチルト信号を重畳することにより対物レンズ６１１をラジアル方向のチルト制御可能にレンズホルダ３００をラジアル方向のチルト変位させる電磁力を発生させることができる。尚、ヨーク３０１は、タンジェンシャル方向において、第１トラッキングコイル３９１、３９２の間に設けられており、ヨーク３０２は、第２トラッキングコイル３９３、３９４の間に設けられている。ヨーク３０１、３０２は、フレームヨーク３５と一体的に形成される。
【００６５】
フレームヨーク３５は、金属製、例えば冷間圧延鋼板製のフレームヨークである。フレームヨーク３５には、マグネット３８１乃至３８４、支持体３２が取り付けられる。フレームヨーク３５は、支持体３２、サスペンションワイヤ３３Ａ、３３Ｂ、３４Ａ、３４Ｂ、３４Ｃを介して、レンズホルダ３００を支持する。フレームヨーク３５は、例えば、一枚の金属板の折り曲げ加工によって形成される。フレームヨーク３５は、第１折曲片３５３、第２折曲片３５４、第３折曲片３５５、第４折曲片３５６、上記のヨーク３０１、３０２を有する。
【００６６】
第１折曲片３５３は、例えばＸＺ平面と平行となるような形状を呈する。  
第２折曲片３５４は、第１折曲片３５３の下側（−Ｚ）側の端部から、タンジェンシャル方向における支持体３２側（＋Ｙ）に向かって折り曲げられた形状を呈する。第２折曲片３５４は、アクチュエータ３がハウジング２における窪み２３３内に配設されたときに、窪み２３３内の底に沿うような形状を呈する。タンジェンシャル方向における第２折曲片３５４の長さは、第１折曲片３５３、第２折曲片３５４、第３折曲片３５５で囲まれる領域に、レンズホルダ３００が配設されるように、タンジェンシャル方向におけるレンズホルダ３００の長さよりも長く設定される。
【００６７】
第３折曲片３５５は、第２折曲片３５４の支持体３２側の端部から、上側（＋Ｚ）に向かって折り曲げられた形状を呈する。第３折曲片３５５は、例えば、第１折曲片３５３と平行になるように折り曲げられているものとする。
【００６８】
第４折曲片３５６は、第３折曲片３５５の上側の端部から、支持体３２側に向かって折り曲げられた形状を呈する。第４折曲片３５６おける第３折曲片３５５から連続している一部には、孔３５８が設けられている。よって、第４折曲片３５６には、第３折曲片３５５から連続している一対の突出部３５１、３５２（以下、「フレームの一部３５１、３５２」とも称する）が形成されることとなる。突出部３５１、３５２を、トラッキング方向に沿って一対設けられている。突出部３５１は、上側（＋Ｚ）に向かって突出した形状を呈する。突出部３５１の上面（＋Ｚ）は、略平面となるように形成されている。つまり、突出部３５１、３５２は、例えば、ハウジング２に対してアクチュエータ３及びカバー８が固定されたときに、カバー８と対向するように突出することとなる。第４折曲片３５６におけるレンズホルダ３００から遠い側（＋Ｙ）の端部３５７は、支持体３２及び制御基板３１の挿通孔に挿通されて、タンジェンシャル方向においてレンズホルダ３００から離れるように突出した形状を呈する。尚、支持体３２及び制御基板３１における第４折曲片３５６の端部３５７が挿通される位置には、挿通孔が形成されているものとする。
【００６９】
マグネット３８１乃至３８４は、レンズホルダ３００をフォーカス方向及びトラッキング方向に変位させるための磁束を発生する磁性体である。マグネット３８１、３８２は夫々、タンジェンシャル方向において第１トラッキングコイル３９１、３９２と対向するように、第１折曲片３５３、第３折曲片３５５に設けられる。マグネット３８３、３８４は夫々、タンジェンシャル方向において第２トラッキングコイル３９３、３９４と対向するように、第１折曲片３５３、第３折曲片３５５に設けられる。つまり、タンジェンシャル方向におけるマグネット３８１、３８２の間には、第１トラッキングコイル３９１、３９２、一方のフォーカスコイルが設けられることとなる。又、タンジェンシャル方向におけるマグネット３８３、３８４の間には、第２トラッキングコイル３９３、３９４、他方のフォーカスコイルが設けられることとなる、
制御基板３１は、レンズホルダ３００の各側面側に夫々３本ずつ配置されるサスペンションワイヤ３３Ａ、３３Ｂ、３３Ｃ、３４Ａ、３４Ｂ、３４Ｃを支持するための部材であり、これら全てのサスペンションワイヤの一方の端が夫々半田付けにより固定される。支持体３２は、フレームヨーク３５の端部３５７が支持体３２の挿通孔に挿通されて、フレームヨーク３５の第４折曲片３５６に対して例えば接着剤等で接着される。そして、支持体３２は、レンズホルダ３００の各側面側の３本のサスペンションワイヤが夫々挿入される孔を備え、それらの孔に充填されるダンプ剤により各サスペンションワイヤを制振させる役割を担っている。
【００７０】
制御基板３１は、フォーカス信号及びトラッキング信号を出力する基板であり、タンジェンシャル方向において支持体３２のレンズホルダ３００から離れる側（＋Ｙ）に取り付けられる。制御基板３１は、フレームヨーク３５の端部３５７が制御基板３１の挿通孔に挿通されて、フレームヨーク３５の第４折曲片３５６に対して例えば接着剤等で接着される。更に、制御基板３１は、支持体３２に対して例えば接着剤等で接着される。
【００７１】
サスペンションワイヤ３３Ａ、３３Ｂ、３３Ｃ、３４Ａ、３４Ｂ、３４Ｃは、レンズホルダ３００がトラッキング方向及びフォーカス方向に変位できるように、レンズホルダ３００の各側面に配置されてレンズホルダ３００を弾性支持する。サスペンションワイヤ３３Ａ、３３Ｂ、３３Ｃ、３４Ａ、３４Ｂ、３４Ｃは、レンズホルダ３００をトラッキング方向及びフォーカス方向に変位させるためのフォーカス信号及びトラッキング信号を送信する信号線としても機能する。サスペンションワイヤ３４Ａ、３４Ｂ、３４Ｃは、レンズホルダ３００の手前側（＋Ｘ）に設けられる。サスペンションワイヤ３３Ａ、３３Ｂ、３３Ｃは、レンズホルダ３００の奥側（−Ｘ）に設けられる。サスペンションワイヤ３３Ａ、３３Ｂ、３３Ｃ、３４Ａ、３４Ｂ、３４Ｃの一端は、支持体３２に対して例えばダンプ剤等を用いて制振支持されると共に、制御基板３１に例えば半田等を用いて電気的に接続される。サスペンションワイヤ３３Ａ、３３Ｂ、３３Ｃ、３４Ａ、３４Ｂ、３４Ｃの他端は夫々、レンズホルダ３００に対して例えば接着剤で固定される。更に、サスペンションワイヤ３３Ａ、３３Ｃの他端は夫々、例えば、一方のフォーカスコイルを形成するためにヨーク３０１に巻回されている導電線の両端に半田等で接続される。サスペンションワイヤ３４Ａ、３４Ｃの他端は夫々、例えば、他方のフォーカスコイルを形成するためにヨーク３０２に巻回されている導電線の両端に半田等で接続される。サスペンションワイヤ３３Ｂ、３４Ｂの他端は夫々、例えば、第１トラッキングコイル３９１、３９２、第２トラッキングコイル３９３、３９４を形成する一本の導電線の両端に接続される。
【００７２】
＝＝＝カバー＝＝＝
以下、図１２、図１３を参照して、本実施形態におけるカバーについて説明する。  
図１２は、本実施形態におけるカバーを示す斜視図である。図１３は、本実施形態におけるカバーとフレームヨークの一部とを示す断面図である。尚、図１３では、図３のＣ１−Ｃ２断面から−Ｙ方向に向かって見た状態のカバーとフレームヨークの一部が示されている。
【００７３】
カバー８は、ハウジング２を上側（＋Ｚ）から覆う金属製のカバーである。カバー８は、例えば、ステンレスにより構成される１枚の金属板を折り曲げ加工して成型される。尚、カバー８は、アルミニウムにより構成される１枚の金属板を折り曲げ加工して成型されることとしてもよい。カバー８は、取付片８１乃至８４、窪み８６０、孔８７０、接触片８６１、８６２、接触片８７１、８７２（突片、突部）、第１の切り欠き８５１、第２の切り欠き８５２を有する。
【００７４】
取付片８１乃至８４は、ハウジング２に対してカバー８を固定するための部材である。取付片８１乃至８４は夫々、ハウジング２の爪２６１、孔２６５、端部２３の爪、雌ネジ２５と対向する位置に設けられる。取付片８１乃至８３は、カバー８から光ディスク５（図３）側とは反対側（−Ｚ）に向かって、折り曲げられた形状を呈する。取付片８４は、カバー８から光ディスク５側とは反対側に向かって、折り曲げられた後、ハウジング２の雌ネジ２５が設けられている面と平行となるように＋Ｘ側に向かって折り曲げられた形状を呈する。取付片８１には、孔８１Ａが設けられる。孔８１Ａには、爪２６１に対して取付片８１が固定されるように、爪２６１が挿通される。そして、取付片８１と爪２６１とが係合されることとなる。取付片８２は、孔２６５に挿入されてハウジング２に固定されるように、例えば略コ字形状を呈する。孔２６５内に取付片８２を挿入した際に、取付片８２と孔２６５内の係合部とが係合されることとなる。取付片８３には、孔８３Ａが設けられる。孔８３Ａには、端部２３の爪に対して取付片８３が固定されるように、端部２３の爪が挿通される。そして、取付片８３と端部２３の爪とが係合されることとなる。取付片８４には、雄ネジ１０１が螺合される螺子孔として機能する孔８４Ａが設けられる。取付片８４は、雄ネジ１０１がハウジング２の雌ネジ２５に螺合されることによって、ハウジング２に固定されることとなる。
【００７５】
孔８７０は、ハウジング２に対してカバー８が固定された際に、対物レンズ６１１（図４）が露出するように、レンズホルダ３００と対向する位置に形成される。
【００７６】
窪み８６０は、カバー８の上側の面における、第２の切り欠き８５２、孔８６３が設けられている位置に形成される。尚、孔８６３については、後述する。窪み８６０内の底には、第２の切り欠き８５２の一部及び孔８６３を上側（＋Ｚ）側から塞ぐための、シール８８１（図１６）が貼付される。窪み８６０は、シール８８１の厚み分だけ窪んでいるものとする。
【００７７】
接触片８６１、８６２は、ハウジング２に対してカバー８が固定された際に、回路基板６に塗布された放熱ゲル５５２と対向する位置に設けられる。尚、放熱ゲル５５２については、後述する。接触片８６１、８６２は、接触片８６１、８６２の先端が、放熱ゲル５５２と接触するように、下側に向かって折り曲げられた形状を呈する。接触片８６１、８６２は、接触片８６１、８６２の先端が、タンジェンシャル方向において互いに対向するように、折り曲げられる。よって、接触片８６１、８６２が設けられるカバー８の一部には、孔８６３が形成されることなる。
【００７８】
第１の切り欠き８５１は、ハウジング２に対してカバー８が固定された際にコネクタ６６が露出するように、カバー８の＋Ｘ側の端部に設けられる。
【００７９】
第２の切り欠き８５２は、コネクタ６６のレバー６６２を操作できるように、第１の切り欠き８５１によって抉られたカバー８の＋Ｘ側の端部８９３に設けられる。
【００８０】
接触片８７１、８７２は、カバー８の一部を折り曲げて形成される一対の片である。接触片８７１、８７２は夫々、ハウジング２に対してカバー８が固定された際に、アクチュエータ３のフレームの一部３５１、３５２と対向する位置に設けられる。接触片８７１、８７２は、フレームの一部３５１、３５２に接触するように、カバー８におけるフレームの一部３５１、３５２と対向する箇所を切り切り抜き加工して形成される。接触片８７１、８７２は、トラッキング方向に沿って隣り合うように設けられる。つまり、接触片８７１、８７２は、複数設けられている。接触片８７１、８７２は、接触片８７１、８７２の先端夫々が、フレームの一部３５１、３５２と接触するように、下側（−Ｚ）側に向かって折り曲げられている。接触片８７１、８７２は、トラッキング方向において接触片８７１の折り曲げ線８７３と接触片８７２の折り曲げ線８７４とが対向するように、折り曲げられる。トラッキング方向における接触片８７１、８７２夫々の折り曲げ線８７３、８７４から先端までの長さＤ１、Ｄ２（図１３）は、ハウジング２に対してカバー８が固定された際に接触片８７１、８７２の先端が夫々フレームの一部３５１、３５２に当接するような長さに設定される。つまり、接触片８７１の長さＤ１、接触片８７２の長さＤ２は、ハウジング２に対してカバー８が固定されたときの、フォーカス方向におけるフレームの一部３５１、３５２とカバー８との間の距離よりも長くなるように設定される。そして、接触片８７１、８７２の先端が夫々フレームの一部３５１、３５２に当接したとき、接触片８７１、８７２の弾性力に基づいて、フレームの一部３５１、３５２は押下されることとなる。尚、例えば、フレームの一部３５１、３５２が相互に同様な大きさの弾性力で押下されるように、接触片８７１の長さＤ１と接触片８７２の長さＤ２とを、相互に同様な長さとなるように設定してもよい。
【００８１】
＝＝＝光ピックアップ装置の組み立て＝＝＝
以下、図４、図６、図８、図１４乃至図１６を参照して、本実施形態における光ピックアップ装置の組み立てについて説明する。図１４は、本実施形態における、光ディスクと対向する側とは反対側から見た状態の、光学素子が固定されたハウジングを示す斜視図である。図１５は、本実施形態における、第１及び第２放熱板と回路基板とを示す斜視図である。図１６は、本実施形態における、ケーブルが取り付けられた状態の光ピックアップ装置を示す斜視図である。
【００８２】
光ピックアップ装置１００の光学素子が、ハウジング２に載置される（図６）。光ピックアップ装置１００の光学素子は、例えば、接着剤等を用いてハウジング２に固定される。レーザ光源１１は、溝２５５乃至２５８に塗布される接着剤によって、ハウジング２に固定される。
【００８３】
第１放熱板４１、第２放熱板４２が、ハウジング２に対して位置決めされる。第１放熱板４１は、孔４１１に対して爪２６２が挿通されて、爪２６２と第１放熱板４１とが係合することによって、ハウジング２に対して固定される。
【００８４】
回路基板６（図８）が、ハウジング２に対して位置決めされる。更に、回路基板６が、ハウジング２の爪２６３、２６４によって、ハウジング２に対して固定（仮止め）される。ここで、回路基板６には孔６５５が形成されているので、回路基板６とレーザ光源１１の支持部材１１６（図７）とが干渉せずに、ハウジング２に対して回路基板６が固定されることとなる。この後、ＦＰＣ７、７００が、例えば半田等を用いて回路基板６に対して固定される。ハウジング２（図１４）の裏側（−Ｚ）から孔２５Ａを介して、レーザ光源１１の端子１１１乃至１１３が夫々、回路基板６の端子６２１乃至６２３と、例えば半田等を用いて電気的に接続される。更に、端子１１１乃至１１３（図１５）は、例えば、放熱ゲル５５３を介して第１放熱板４１に接続される。尚、放熱ゲル５５３は、端子１１１乃至１１３と第１放熱板４１とが電気的に接続されないような絶縁性のゲルである。更に、放熱ゲル５５３は、レーザ光源１１で発生する熱が放熱ゲル５５３を介して第１放熱板４１に伝達されるような、熱伝導率の比較的高いゲルである。更に、回路基板６の上側の面（図８）には、放熱ゲル５５３と同様な放熱ゲル５５１、５５２が塗布される。放熱ゲル５５１は、例えば、ハウジング２に対してカバー８が固定されたときにカバー８と接触するように塗布される。放熱ゲル５５２は、ハウジング２に対してカバー８が固定されたときに接触片８６１、８６２（図１２）の先端が接触するように、孔８６３と対向する位置に塗布される。
【００８５】
アクチュエータ３が、ハウジング２（図８）に載置される。アクチュエータ３は、窪み２３３内に配設される。このとき、フレームヨーク３５の端部３５７（図１１）は、ハウジング２の窪み２００内に配設される。尚、ハウジング２には、窪み２３３と連続した窪み２００が形成されている。窪み２００は、アクチュエータ３が窪み２３３内に配設されたときに、窪み３５７の底が端部３５７と対向するように形成されている。アクチュエータ３は、例えば、フレームヨーク３５が窪み２３３内の底に接着剤等で接着されるとともに、端部３５７が窪み２００の底に接着剤等で接着されることによって、ハウジング２に対して固定される。このとき、フレームヨーク３５は、接地されていない状態となる。
【００８６】
カバー８が、ハウジング２に対して固定される。例えば、ハウジング２に対して、カバー８の取付片８１乃至８３が係合される。その後、雄ネジ１０１が、カバー８の孔８４Ａ、回路基板６の孔６５、第２放熱板４２の孔４２２とともにハウジング２の雌ネジ２５に螺合される。このとき、回路基板６、ＦＰＣ７、７００は、カバー８とハウジング２との間に挟持されることとなる。又、前述したように、カバー８の接触片８７１、８７２夫々が、フレームの一部３５１、３５２に対して接触することとなる。更に、カバー８は、雄ネジ１０１を介して回路基板６の接地パターンと電気的に接続されて、接地されることとなる。従って、アクチュエータ３のフレームヨーク３５は、カバー８、雄ネジ１０１、回路基板６の接地パターンを介して接地されることとなる。又、フレームの一部３５１、３５２は夫々、接触片８７１の先端、接触片８７２の先端によって下側に押下されている。そして、ハウジング２に対して、光ピックアップ装置１００の光学素子、アクチュエータ３、第１放熱板４１、第２放熱板４２、回路基板６、ＦＰＣ７、７００、カバー８が固定される。
【００８７】
カバー８の孔８６３（図１２）が塞がれるように、シール８８１（図１６）がカバー８の上側（＋Ｚ）の面に、例えば接着剤等で貼付される。そして、光ピックアップ装置１００が組み立てられることとなる。
【００８８】
前述したように、アクチュエータ３は、対物レンズ６１１を保持するレンズホルダ３００を光ディスク５のフォーカス方向又はトラッキング方向に変位させる。アクチュエータ３は、金属製のフレームヨーク３５を有している。樹脂製のハウジング２には、アクチュエータ３が載置される。金属製のカバー８は、接地されている。カバー８は、アクチュエータ３が載置されているハウジング２を覆った際に、フレームヨーク３５に接触する接触片８７１、８７２を有している。フレームヨーク３５と接触片８７１、８７２とが接触するので、アクチュエータ３のフレームヨーク３５はカバー８を介して接地されることとなる。フレームヨーク３５が接地されているので、例えば、光ピックアップ装置１００の周囲の静電気等の影響でフレームヨーク３５が帯電するのが抑制されることとなる。よって、フレームヨーク３５の帯電に基づいて、例えば、ＦＰＣ７００及びコネクタ６６を介してアクチュエータ３から光ピックアップ装置１００を制御する制御装置に対して、当該帯電に基づく電荷が供給されるのを防止することができる。従って、フレームヨーク３５の帯電に基づく、光ピックアップ装置１００を制御する制御装置（不図示）の誤動作を防止して、光ディスク５に対する信号の再生又は記録動作を確実に行えるように、光ピックアップ装置の動作を良好にすることができる。
【００８９】
又、回路基板６は、カバー８とハウジング２との間に挟持される。カバー８は、回路基板６の接地パターンと接続されて接地される。カバー８が回路基板６の接地パターンと接続されているので、カバー８は、確実に接地されることとなる。よって、フレームヨーク３５を確実に接地して、光ピックアップ装置１００の動作を良好にさせることができる。更に、回路基板６がカバー８とハウジング２との間に挟持されているので、例えば、回路基板６に対する光ピックアップ装置１００の外部からの接触を防止して、当該接触に基づいて回路基板６が劣化するのを防止することができる。よって、回路基板６の劣化に基づいて、カバー８の接地が不十分となるのを防止して、フレームヨーク３５を確実に接地することができる。従って、光ピックアップ装置１００の動作を更に良好にさせることができる。
【００９０】
又、カバー８は、金属製の雄ネジ１０１が螺合する孔８４Ａを有する。回路基板６は、雄ネジ１０１が孔８４Ａとともに螺合するとともに、雄ネジ１０１が回路基板６の接地パターンと電気的に接続されるように穿設される孔６５を有する。ハウジング２は、雄ネジ１０１が孔８４Ａ及び孔６５とともに螺合される雌ネジ２５を有する。カバー８の孔８４Ａ及び回路基板６の孔６５に対して雄ネジ１０１が螺合されることにより、カバー８は回路基板６の接地パターンと接続されて接地されることとなる。更に、雄ネジ１０１は、孔８４Ａ、孔６５とともにハウジング２の雌ネジ２５に螺合される。ハウジング２に対して回路基板６及びカバー８を固定するための雄ネジ１０１を用いて、カバー８と回路基板６の接地パターンとを電気的に接続することができる。よって、カバー８と回路基板６の接地パターンとの電気的な接続を確実にして、フレームヨーク３５を確実に接地することができる。従って、光ピックアップ装置１００の動作を良好させることができる。又、例えば、カバー８を接地するための導電線等を別途設ける必要がないので、光ピックアップ装置１００の部品点数を減らしたり、光ピックアップ装置１００の製造工程を減らしたりして、光ピックアップ装置１００を低コストで提供することができる。
【００９１】
又、接触片８７１、８７２は、カバー８におけるフレームヨーク３５と対向する箇所を切り抜き加工して形成される。フレームヨーク３５は、接触片８７１、８７２によって押下されることとなる。よって、例えば、ハウジング２に対するアクチュエータ３の位置ずれを防止して、フレームヨーク３５に対してカバー８を確実に接触させることができる。従って、良好に動作する光ピックアップ装置１００を提供することができる。
【００９２】
又、接触片８７１、８７２は、複数設けられる。よって、アクチュエータ３が載置されているハウジング２をカバー８が覆ったとき、フレームヨーク３５に対してカバー８を更に確実に接触させて、光ピックアップ装置１００の動作を更に良好にさせることができる。
【００９３】
尚、本実施形態は、本発明の理解を容易にするためのものであり、本発明を限定して解釈するためのものではない。本発明は、その趣旨を逸脱することなく、変更、改良され得るとともに、本発明にはその等価物も含まれる。
【符号の説明】
【００９４】
２              ハウジング
３              アクチュエータ
５              光ディスク
６              回路基板
７、７００      ＦＰＣ
８              カバー
２５            雌ネジ
３５            フレームヨーク
４１            第１放熱板
４２            第２放熱板
５０            回転軸
６５、８４Ａ    孔
１００          光ピックアップ装置
１０１          雄ネジ
８７１、８７２  接触片
【図１】
2014032717.tif 000003
【図２】
2014032717.tif 000004
【図３】
2014032717.tif 000005
【図４】
2014032717.tif 000006
【図５】
2014032717.tif 000007
【図６】
2014032717.tif 000008
【図７】
2014032717.tif 000009
【図８】
2014032717.tif 000010
【図９】
2014032717.tif 000011
【図１０】
2014032717.tif 000012
【図１１】
2014032717.tif 000013
【図１２】
2014032717.tif 000014
【図１３】
2014032717.tif 000015
【図１４】
2014032717.tif 000016
【図１５】
2014032717.tif 000017
【図１６】
2014032717.tif 000018